(57)【特許請求の範囲】
【請求項１】
被検者に１つ以上の食事介入を適用することによって達成できる減量の程度を予測するための方法であって、
前記被検者から得られる１つ以上のサンプル中の１つ以上のバイオマーカーの濃度を判定するステップであって、前記バイオマーカーは、フルクトサミン及び第ＶＩＩ因子から選択される、ステップを含む、方法。
【請求項２】
１つ以上のサンプル中のアディポネクチンの濃度を判定するステップを更に含む、請求項１に記載の方法。
【請求項３】
１つ以上のサンプル中のインスリンの濃度を判定するステップを更に含む、請求項１又は２に記載の方法。
【請求項４】
フルクトサミン、第ＶＩＩ因子、アディポネクチン及びインスリンのそれぞれの濃度は、判定され、前記サンプル中のフルクトサミン及びインスリンの濃度の低下及び第ＶＩＩ因子及びアディポネクチンの濃度の増加は、前記被検者の減量の程度の増加を示す、請求項１〜３のいずれか一項に記載の方法。
【請求項５】
前記１つ以上のサンプルは、血液由来である、請求項１〜４のいずれか一項に記載の方法。
【請求項６】
前記フルクトサミンの濃度は、糖化アルブミンを測定するステップによって判定される、請求項１〜５のいずれか一項に記載の方法。
【請求項７】
前記食事介入は、低カロリー食である、請求項１〜６のいずれか一項に記載の方法。
【請求項８】
前記低カロリー食は、約６００〜約１２００ｋｃａｌ／日のカロリー摂取量を含む、請求項７に記載の方法。
【請求項９】
前記低カロリー食は、少なくとも１種のダイエット食品の投与を含む、請求項７又は８に記載の方法。
【請求項１０】
前記低カロリー食は、６〜１２週間の継続期間を有する、請求項７〜９のいずれか一項に記載の方法。
【請求項１１】
前記１つ以上のバイオマーカーの濃度と、前記被検者の１つ以上の身体測定及び／又は生活習慣特性とを組み合わせるステップを更に含む、請求項１〜１０のいずれか一項に記載の方法。
【請求項１２】
前記身体測定は、性別、体重、身長、年齢、及び体格指数からなる群から選択され、前記生活習慣特性は、前記被検者が喫煙者であるか又は非喫煙者であるかである、請求項１１に記載の方法。
【請求項１３】
前記減量の程度は、被検者が食事介入の適用によって達成すると予測される体格指数によって表される請求項１〜１２のいずれか一項に記載の方法。
【請求項１４】
被検者に対する１つ以上の食事介入を最適化する方法であって、
前記被検者が達成できる減量の程度を、請求項１〜１３のいずれか一項に記載の方法により予測するステップと、
前記被検者に前記食事介入を適用するステップとを含む、方法。
【請求項１５】
被検者が食事介入により達成するであろうと期待される体格指数（ＢＭＩ２）を予測するための方法であって、
ａ．前記被検者から得られる１つ以上のサンプル中のフルクトサミン、第ＶＩＩ因子、アディポネクチン及びインスリンの濃度を判定するステップと、
ｂ．式（１）：
ｂｍｉ２ｉ＝ｃ１＊ｂｍｉ１ｉ＋ｃ２（被検者ｉが女性である場合）＋ｃ３＊ａｇｅｉ−ｃ４＊第ＶＩＩ因子ｉ＋ｃ５＊フルクトサミンｉ−ｃ６＊アディポネクチンｉ＋ｃ７＊空腹時インスリンｉ              （１）
を用いてＢＭＩ２を予測するステップと、を含み、
ＢＭＩ１は、前記被検者の前記食事介入前の体格指数であり、ＢＭＩ２は前記被検者の前記食事介入後の予測される体格指数であり、
ｃ１、ｃ２、ｃ３、ｃ４、ｃ５、ｃ６、及びｃ７は正の整数である、方法。
【請求項１６】
ＢＭＩ２は、式（２）：
ＢＭＩ２＝−１．２５＋０．３５（被検者が女性である場合）＋０．９（初期体格指数、ＢＭＩ１）＋０．００３（年で表した年齢）−０．０２（第ＶＩＩ因子の濃度を単位で）−０．００３（フルクトサミンの濃度、マイクロモル／Ｌ）−０．００７（アディポネクチンの濃度、マイクロｇ／ｍＬ）＋０．０１（空腹時インスリンの濃度、マイクロＵ／ｍＬ）                        （２）
を用いて予測する、請求項１５に記載の方法。
【請求項１７】
被検者の生活習慣の変更を選択するための方法であって、
ａ．請求項１〜１６のいずれか一項に記載の方法を実行するステップと、
ｂ．ステップ（ａ）で予測される減量の程度に基づいて、生活習慣の好適な変更を選択するステップとを含む、方法。
【請求項１８】
前記被検者の生活習慣の前記変更には、食事介入が含まれる、請求項１７に記載の方法。
【請求項１９】
前記食事介入は、請求項７〜１０のいずれか一項に記載されるものである、請求項１８に記載の方法。
【請求項２０】
プログラム可能なコンピュータに請求項１〜１９のいずれか一項に記載の方法を実行させるためのコンピュータ実施可能な命令を含むコンピュータプログラム製品。
【請求項２１】
ユーザから１つ以上のバイオマーカーの濃度が与えられたときに、減量の程度をプログラム可能なコンピュータに予測させるためのコンピュータ実施可能な命令を含むコンピュータプログラム製品であって、前記バイオマーカーは、フルクトサミン及び第ＶＩＩ因子から選択される、コンピュータプログラム製品。
【請求項２２】
前記コンピュータプログラム製品に、前記ユーザから身体測定及び／又は生活習慣特性が更に与えられ、前記身体測定は、年齢、体重、身長、性別、及び体格指数からなる群から選択され、前記生活習慣特性は、前記ユーザが喫煙者であるか又は非喫煙者であるかである、請求項２１に記載の製品。
【請求項２３】
前記バイオマーカーには、アディポネクチン及び／又はインスリンが更に含まれる、請求項２１又は２２に記載のコンピュータプログラム製品。
【請求項２４】
食事介入の後に被検者が達成できる減量の程度を予測するためのキットであって、
ａ．第ＶＩＩ因子に特異的な抗体と、
ｂ．糖化アルブミンに特異的な抗体とを備える、キット。
【請求項２５】
前記キットは、
ａ．アディポネクチンに特異的な抗体を更に含む、請求項２４に記載のキット。
【請求項２６】
前記キットは、
ａ．インスリンに特異的な抗体を更に含む、請求項２４又は２５に記載のキット。
【発明の詳細な説明】
【技術分野】
【０００１】
本発明によって、被検者に１つ以上の食事介入を適用することによって達成できる減量の程度を予測するために用いることができる複数のバイオマーカー及びバイオマーカー組み合わせが提供される。
【背景技術】
【０００２】
肥満は、世界の多くの領域で大流行している慢性的な代謝異常である。肥満は、重度の共存症例えば２型糖尿病、心臓血管疾患、脂質異常症、及びあるタイプの癌に対する主要な危険因子である（Ｗｏｒｌｄ  Ｈｅａｌｔｈ  Ｏｒｇａｎ  Ｔｅｃｈ  Ｒｅｐ  Ｓｅｒ．２０００；８９４：ｉ−ｘｉｉ、１〜２５３）。
【０００３】
低カロリー食事介入は体重を減らすには非常に効率的である可能性があり、この減量は一般的に、肥満関連共存症、特に２型糖尿病の危険性に対する改善が伴うものと長い間、認識されていた（Ｗｏｒｌｄ  Ｈｅａｌｔｈ  Ｏｒｇａｎ  Ｔｅｃｈ  Ｒｅｐ  Ｓｅｒ．２０００；８９４：ｉ−ｘｉｉ、１〜２５３）。経験的データが示唆するところによれば、初期体重の少なくとも１０％が減量すると、肥満関連共存症に対する危険性がかなり減少する（Ｗｏｒｌｄ  Ｈｅａｌｔｈ  Ｏｒｇａｎ  Ｔｅｃｈ  Ｒｅｐ  Ｓｅｒ．２０００；８９４：ｉ−ｘｉｉ、１〜２５３）。しかし、体重を減らす可能性は、被検者間で大きなばらつきを示している。
【０００４】
いくつかの研究（例えば、Ｇｈｏｓｈ，Ｓ．ら、Ｏｂｅｓｉｔｙ（Ｓｉｌｖｅｒ  Ｓｐｒｉｎｇ）、（２０１１）１９（２）：４５７〜４６３）には、人口のある割合が低カロリー食では体重を減らすことに成功していないことが例示されている。これは、減量の非現実的な期待につながるものであり、結果として、不順守、脱落、及び全般的に不成功な食事介入の原因となる。
【０００５】
またいくつかの研究が示すところによれば、減量を監視するための当該技術分野の方法があり、これには血漿中の特定のバイオマーカーの濃度を監視することが含まれる（例えば、Ｌｉｊｎｅｎら、Ｔｈｒｏｍｂ  Ｒｅｓ．２０１２  Ｊａｎ、１２９（１）：７４〜９；Ｃｕｇｎｏら、Ｉｎｔｅｒｎ  Ｅｍｅｒｇ  Ｍｅｄ．２０１２  Ｊｕｎ、７（３）：２３７〜４２；及びＢｌａｄｂｊｅｒｇら、Ｂｒ  Ｊ  Ｎｕｔｒ．２０１０  Ｄｅｃ、１０４（１２）：１８２４〜３０）。しかし、これらの方法では、特定の被検者が達成できる減量の程度の予測又は表示は得られない。バイオマーカー濃度と減量との相関関係を見る予測値が存在しない。
【０００６】
食事介入（例えば低カロリー食）の計画及びデザインを成功させるための解決方法は、減量軌跡を予測する方法が利用できることにある。このような方法は、被検者の生活習慣を（例えば食事の変更によって）変更するのを助けること、及び被検者をその生物学的な減量可能性に従って適合された治療群に階層化することには有用であろう。
【０００７】
米国特許出願第２０１１／０１２４１２１号には、減量の成功を予測するための方法が開示されている。開示されている方法には、減量療法例えば胃バンディングを受けるか又は受けることを検討している患者を選択すること、カロリー摂取に対する患者の１つ以上のホルモン応答を測定すること、及びホルモン応答に基づいて減量療法の成功を予測することが含まれている。測定したホルモンは胃腸ホルモン例えば膵臓ホルモンである。
【０００８】
欧州特許出願第２４２０８４３号には、人が計画的な減量の後に減量を維持する可能性を、ダイエット期間の前後で酵素（ＡＣＥ）を転化させるアンギオテンシンの濃度を測定することによって判定するための方法が開示されている。
【発明の概要】
【発明が解決しようとする課題】
【０００９】
しかし未だに、被検者の減量の程度を正確に予測するための方法が求められている。したがって、本発明の目的は、容易に検出することができて被検者の減量の予測を容易にすることができるバイオマーカーを提供することである。このようなバイオマーカーを用いれば、食事介入を行なう前の被検者の体重軌跡を予測することができる。これらのバイオマーカーを用いれば、食事介入を最適化して、生活習慣改善法を支援することができる。
【課題を解決するための手段】
【００１０】
本発明では、１つ以上のバイオマーカーの濃度を詳しく調べて、被検者に１つ以上の食事介入を適用することによって達成できる減量の程度を予測する。詳細には、発明者らは、あるバイオマーカーを用いて、低カロリー食の後に被検者が達成できる減量を信頼性高く予測できることを見出している。
【００１１】
したがって、本発明によって、一態様では、被検者に１つ以上の食事介入を適用することによって達成できる減量の程度を予測するための方法であって、被検者から得られる１つ以上のサンプル中の１つ以上のバイオマーカーの濃度を判定することであって、バイオマーカーはフルクトサミン及び第ＶＩＩ因子から選択される、判定すること、を含む方法が提供される。
【００１２】
一実施形態では、本方法には更に、１つ以上のサンプル中のアディポネクチンの濃度を判定することが含まれる。また本方法には、１つ以上のサンプル中のインスリンの濃度を判定することが含まれていても良い。
【００１３】
一実施形態では、１つ以上のサンプル（例えば、血漿サンプル）を血液から得る。
【００１４】
１つ以上のバイオマーカーの濃度を基準値と比較しても良い。比較によって、被検者が達成できる予測される減量の程度が示される。基準値は、食事介入を以前に受けたことがある被検者の母集団における１つ以上のバイオマーカーの値（例えば、平均値）に基づいても良い。
【００１５】
一実施形態では、フルクトサミンの濃度を判定して、基準値に対するサンプル中のフルクトサミンの濃度の減少が被検者の減量の程度の増加を示している。好ましくは、フルクトサミン濃度を１つ以上のサンプル中の糖化アルブミンを測定することによって判定する。
【００１６】
別の実施形態では、第ＶＩＩ因子の濃度を判定して、基準値に対するサンプル中の第ＶＩＩ因子の濃度の増加が被検者の減量の程度の増加を示している。
【００１７】
別の実施形態では、アディポネクチンの濃度を判定して、基準値に対するサンプル中のアディポネクチンの濃度の増加が被検者の減量の程度の増加を示している。
【００１８】
別の実施形態では、インスリンの濃度を判定して、基準値に対するサンプル中のインスリンの濃度の減少が被検者の減量の程度の増加を示している。
【００１９】
別の実施形態では、フルクトサミン、第ＶＩＩ因子、アディポネクチン、及びインスリンのそれぞれの濃度を判定し、基準値に対するサンプル中のフルクトサミン及びインスリンの濃度の低下及び第ＶＩＩ因子及びアディポネクチンの濃度の増加は、被検者の減量の程度の増加を示している。
【００２０】
好ましくは、食事介入は低カロリー食である。一実施形態では、低カロリー食は約６００〜約１２００ｋｃａｌ／日のカロリー摂取量を含んでいる。低カロリー食には、少なくとも１種のダイエット食品の投与が含まれていても良い。好ましくは、ダイエット食品はＯｐｔｉｆａｓｔ（登録商標）又はＭｏｄｉｆａｓｔ（登録商標）である。また低カロリー食には、例えば最大で約４００ｇ野菜／日の投与が含まれていても良い。
【００２１】
一実施形態では、食事にはＯｐｔｉｆａｓｔ（登録商標）又はＭｏｄｉｆａｓｔ（登録商標）などの製品が含まれていても良い。これは、３人前の非デンプン野菜を用いて、全エネルギー摂取量が約２．５ＭＪ（６００ｋｃａｌ／日）となるように補っても良い。これは更に、一日当たり少なくとも２Ｌの水又は他の無エネルギー飲料を用いて補っても良い。
【００２２】
別の実施形態では、食事には、例えば、組成物として、４６．４％炭水化物、３２．５％タンパク質、及び２０．１％の脂肪、ビタミン、ミネラル、及び微量元素のものが含まれていて、２．１ＭＪ／日（５１０ｋｃａｌ／日）であっても良い。これは、３人前の非デンプン野菜を用いて、全エネルギー摂取量が約２．５ＭＪ（６００ｋｃａｌ／日）となるように補っても良い。これは更に、一日当たり少なくとも２Ｌの水又は他の無エネルギー飲料を用いて補っても良い。
【００２３】
一実施形態では、低カロリー食の期間は最大で１２週間、例えば６〜１２週間である。
【００２４】
一実施形態では、本方法には、１つ以上のバイオマーカーの濃度を被検者の１つ以上の身体測定及び／又は生活習慣特性と組み合わせることが更に含まれている。好ましくは、身体測定は性別、体重、身長、年齢、及び体格指数からなる群から選択され、生活習慣特性は被検者が喫煙者であるか又は非喫煙者であるかである。
【００２５】
一実施形態では、減量の程度を、食事介入を適用することによって被検者が達成すると予測される体格指数（ＢＭＩ）によって表す。これはＢＭＩ２と言うことがあり、式（１）を用いて計算しても良い。
ＢＭＩ２＝ｃ１＊ＢＭＩ１ｉ＋ｃ２（被検者ｉが女性である場合）＋ｃ３＊年齢−ｃ４＊第ＶＩＩ因子ｉ＋ｃ５＊フルクトサミンｉ−ｃ６＊アディポネクチンｉ＋ｃ７＊空腹時インスリンＩ            （１）
【００２６】
式中、ＢＭＩ１は、食事介入前の被検者の体格指数であり、ＢＭＩ２は、食事介入後の被検者の予測される体格指数であり、ｃ１、ｃ２、ｃ３、ｃ４、ｃ５、ｃ６、及びｃ７は正の整数である。
【００２７】
例えば、ＢＭＩ２に対する式を式（２）によって表してもよい。
ＢＭＩ２＝−１．２５＋０．３５（被検者が女性である場合）＋０．９（初期体格指数、ＢＭＩ１）＋０．００３（年で表した年齢）−０．２（第ＶＩＩ因子の濃度を単位で）−０．００３（フルクトサミンの濃度、マイクロモル／Ｌ）−０．００７（アディポネクチンの濃度、マイクロｇ／ｍＬ）＋０．０１（空腹時インスリンの濃度、マイクロＵ／ｍＬ）              （２）
【００２８】
更なる態様によれば、本発明によって、被検者に対する１つ以上の食事介入を最適化する方法であって、被検者が達成できる減量の程度を、本明細書で規定される方法により予測することと、被検者に食事介入を適用することと、を含む方法が提供される。
【００２９】
更なる態様では、本発明によって、被検者が食事介入から達成するであろうと期待される体格指数（ＢＭＩ２）を予測するための方法であって、被検者から得られる１つ以上のサンプル中のフルクトサミン、第ＶＩＩ因子、アディポネクチン及びインスリンの濃度を判定することと、前述した式（１）又は式（２）を用いてＢＭＩ２を予測することと、を含む方法が提供される。
【００３０】
本発明の更なる態様では、被検者の生活習慣の変更を選択するための方法であって、（ａ）本明細書で規定される方法を行なうことと、（ｂ）予測される減量の程度に基づいて生活習慣の好適な変更を選択することと、を含む方法が提供される。
【００３１】
一実施形態では、生活習慣の変更には食事介入が含まれる。食事介入には、少なくとも１種のダイエット食品を被検者に投与することが含まれていても良い。例えば、食事介入は低カロリー食であっても良い。低カロリー食には、脂肪の摂取の低減及び／又は低脂肪食品の摂取の増加が含まれていても良い。単に一例として、低脂肪食品としては、全粒小麦粉及びパン、ポリッジオート麦、高繊維朝食用シリアル、全粒米及びパスタ、野菜及び果実、乾燥豆及びレンズ豆、ベークドポテト、ドライフルーツ、クルミ、白身魚、ニシン、サバ、イワシ、キッパー、ピルチャード、サケ、及び脂肪の少ない白身肉を挙げても良い。
【００３２】
本発明の更なる態様では、減量用に低カロリー食の一部として用いるためのダイエット食品であって、本明細書で説明する方法によってある程度の減量を達成すると予測される被検者に投与されるダイエット食品が提供される。
【００３３】
一態様では、ダイエット食品には、Ｏｐｔｉｆａｓｔ（登録商標）又はＭｏｄｉｆａｓｔ（登録商標）などの製品が含まれていても良い。これは、３人前の非デンプン野菜を用いて、全エネルギー摂取量が約２．５ＭＪ（６００ｋｃａｌ／日）となるように補っても良い。これは更に、一日当たり少なくとも２Ｌの水又は他の無エネルギー飲料を用いて補っても良い。
【００３４】
別の態様では、ダイエット食品には、例えば、組成物として、４６．４％炭水化物、３２．５％タンパク質、及び２０．１％の脂肪、ビタミン、ミナラル、及び微量元素であるものが含まれていて、２．１ＭＪ／日（５１０ｋｃａｌ／日）であっても良い。これは、３人前の非デンプン野菜を用いて、全エネルギー摂取量が約２．５ＭＪ（６００ｋｃａｌ／日）となるように補っても良い。これは更に、一日当たり少なくとも２Ｌの水又は他の無エネルギー飲料を用いて補っても良い。
【００３５】
本発明の更なる態様では、肥満又は肥満関連疾患の治療で用いるダイエット食品であって、本明細書で規定される方法によってある程度の減量を達成すると予測される被検者に投与されるダイエット食品が提供される。
【００３６】
本発明の更なる態様では、減量用の低カロリー食においてダイエット食品の使用であって、ダイエット食品は、本明細書で規定される方法によってある程度の減量を達成すると予測される被検者に投与される、使用が提供される。
【００３７】
本発明の更なる態様では、プログラム可能なコンピュータに本明細書で説明する方法によって被検者が達成できる減量の程度を予測させるためのコンピュータ実施可能な命令を含むコンピュータプログラム製品が提供される。
【００３８】
本発明の更なる態様では、プログラム可能なコンピュータに、ユーザから得られる１つ以上のバイオマーカーの濃度が与えられたときに減量の程度を予測させるためのコンピュータ実施可能な命令を含むコンピュータプログラム製品であって、バイオマーカーはフルクトサミン及び第ＶＩＩ因子から選択されるコンピュータプログラム製品が提供される。好ましくは、バイオマーカーにはアディポネクチン及び／又はインスリンも含まれている。
【００３９】
本発明の更なる態様では、食事介入の後に被検者が達成できる減量の程度を予測するためのキットであって、第ＶＩＩ因子に特異的な抗体及び糖化アルブミンに特異的な抗体が含まれるキットが提供される。一実施形態では、キットには、アディポネクチンに特異的な抗体及び／又はインスリンに特異的な抗体が更に含まれている。
【発明を実施するための形態】
【００４０】
減量の程度の予測
本発明は、一態様では、被検者に１つ以上の食事介入を適用することによって達成できる減量の程度を予測する方法に関する。特定の実施形態では、本方法を用いて、被検者の減量する可能性について情報に基づいた予測を行ない、それに応じて１つ以上の食事介入を選択又は調整しても良い。例えば、食事介入が低カロリー食である場合、本方法を用いて、被検者にとって適切な食事を選択すること、又は減量の程度に影響する毎日のカロリー摂取又は特定の食事の期間を調整すること、又は被検者に対する現実的な期待を設定することによって低カロリー食に対する順守を増加させることが可能になる。また本方法を用いて、被検者の生活習慣を変更することを支援しても良い。
【００４１】
本方法によって、当業者に、どの被検者が特定の食事介入（例えば、低カロリー食）からほぼ間違いなく利益を得るかを評価するための有用なツールが提供される。したがって、本方法によって、食事介入例えば低カロリー食及び生活習慣の変更を最適化することができる。
【００４２】
本明細書で規定する減量は、パラメータ例えば体重（例えば、キログラムで）、体格指数（ｋｇｍ−２）、又はウエスト周囲（例えば、センチメートルで）、又はウエストヒップ比（例えば、センチメートルで）の減少を指す場合がある。減量の計算を、食事介入の終わりにおける前述のパラメータのうちの１つ以上の値を、食事介入の始まりにおける前記パラメータの値から差し引くことによって行なっても良い。好ましくは、減量の程度を、食事介入を適用することによって被検者が達成すると予測される体格指数によって表す。
【００４３】
減量の程度を、被検者の体重（例えば、キログラム）又は体格指数（ｋｇｍ−２）の割合として表現しても良い。例えば、被検者がその初期体重の少なくとも１０％、その初期体重の少なくとも８％、又はその初期体重の少なくとも５％を減らすと予想しても良い。単に一例として、被検者が本人の初期体重の５〜１０％を減らすと予測される場合がある。
【００４４】
一実施形態では、割合を肥満関連疾患と対応付けても良い。例えば、初期体重の少なくとも１０％の減量の程度であれば、肥満関連共存症に対する危険性がかなり減少することになる。
【００４５】
本明細書で規定される方法を用いて予測される減量の程度に基づいて、被検者を１つ以上のグループ又はカテゴリに階層化しても良い。例えば、被検者を、著しい量の体重を減らすと予測されるか否かに従って階層化しても良い。
【００４６】
被検者
好ましくは被検者は哺乳動物、好ましくはヒトである。被検者は代替的に、非ヒトの哺乳動物（例えば、馬、牛、羊、又は豚など）であっても良い。一実施形態では、被検者はコンパニオンアニマル例えば犬又は猫であっても良い。
【００４７】
サンプル
本発明には、被検者から得られる１つ以上のサンプル中の１つ以上のバイオマーカーの濃度を判定するステップが含まれている。
【００４８】
好ましくは、サンプルは血液又は尿から得られる。より好ましくは、サンプルは血液から得られる。サンプルは、血液分画が含まれていても良いし、又は全体として血液であっても良い。サンプルには、好ましくは血漿又は血清、最も好ましくは血漿が含まれている。被検者からサンプルを集めるための技術は当該技術分野において良く知られている。
【００４９】
食事介入
用語「食事介入」が意味するのは、被検者の食事の変化をもたらす被検者に適用される外部因子である。一実施形態では、食事介入は低カロリー食である。
【００５０】
好ましくは、低カロリー食には、約６００〜約１５００ｋｃａｌ／日のカロリー摂取量、より好ましくは約６００〜約１２００ｋｃａｌ／日、最も好ましくは約８００ｋｃａｌ／日が含まれる。一実施形態では、低カロリー食には一日当たり所定の量（グラム）の野菜が含まれていても良い。好ましくは最大で約４００ｇ野菜／日、例えば約２００ｇ野菜／日である。
【００５１】
低カロリー食には少なくとも１種のダイエット食品の投与が含まれていても良い。ダイエット食品は、食事代替食品又は補助食品（例えば被検者の食欲を抑制しても良い）であっても良い。ダイエット食品には、食品製品、飲料、ペットフード製品、補助食品、栄養補助食品、食品添加物、又は栄養配合物を含めることができる。
【００５２】
一実施形態では、食事はＯｐｔｉｆａｓｔ（登録商標）又はＭｏｄｉｆａｓｔ（登録商標）などの製品が含まれていても良い。これは、３人前の非デンプン野菜を用いて、全エネルギー摂取量が約２．５ＭＪ（６００ｋｃａｌ／日）となるように補っても良い。これは更に、一日当たり少なくとも２Ｌの水又は他の無エネルギー飲料を用いて補っても良い。
【００５３】
別の実施形態では、食事には、例えば、組成物として、４６．４％炭水化物、３２．５％タンパク質、及び２０．１％の脂肪、ビタミン、鉱物、及び微量元素であるものが含まれていて、２．１ＭＪ／日（５１０ｋｃａｌ／日）であっても良い。これは、３人前の非デンプン野菜を用いて、全エネルギー摂取量が約２．５ＭＪ（６００ｋｃａｌ／日）となるように補っても良い。これは更に、一日当たり少なくとも２Ｌの水又は他の無エネルギー飲料を用いて補っても良い。
【００５４】
一実施形態では、低カロリー食の期間は最大で１２週間である。好ましくは、低カロリー食の期間は６〜１２週間、好ましくは８〜１０週間、例えば８週間である。
【００５５】
サンプル中の１つ以上のバイオマーカーの濃度の判定
一実施形態では、１つ以上のバイオマーカーの濃度を食事介入の前に判定する。別の実施形態では、１つ以上のバイオマーカーの濃度を食事介入の前後で判定する。バイオマーカー濃度を、食事介入の全体に渡って所定の時間に判定しても良い。これらの所定の時間は、食事介入の全体に渡って周期的（例えば、毎日又は３日ごと）であっても良いし、又は試験中の被検者、分析中のサンプルのタイプ、及び／又は達成すると予測される減量の程度に依存しても良い。
【００５６】
食事介入の前に得たときに、バイオマーカー濃度を「空腹時濃度」と言うことがある。食事介入の後に得たときに、バイオマーカー濃度を「カロリー摂取濃度」と言うことがある。例えば、バイオマーカー濃度を、空腹時に判定しても良いし、又は空腹時及びカロリー摂取後に判定しても良い。最も好ましくは、各バイオマーカーの空腹時濃度を判定する。
【００５７】
サンプル中の個々のバイオマーカー種の濃度を当該技術分野で知られた任意の好適な方法によって測定又は判定しても良い。例えば、質量分析法（ＭＳ）又は抗体検出方法例えば酵素結合抗体免疫吸着アッセイ（ＥＬＩＳＡ）を用いても良い。他の分光法、クロマトグラフィ法、標識技術、又は定量化学的な方法を用いても良い。
【００５８】
一実施形態では、１つ以上のバイオマーカーの濃度を、バイオマーカーの１つ以上を標識する試薬を用いてサンプルを染色することによって判定しても良い。「染色」は典型的に、バイオマーカーを顕微鏡技術（例えば、可視光又は蛍光灯を用いるもの）によって検出可能にする組織学的方法である。好ましくは、バイオマーカーを免疫組織化学（ＩＨＣ）によってサンプル中に検出する。ＩＨＣでは、バイオマーカーを、バイオマーカーの１つ以上に特異的に結合する抗体によって検出する場合がある。好適な抗体が知られているか、又は周知の技術を用いて生成しても良い。抗体濃度を検出するための好適な試験方法としては、これらに限定されないが、イムノアッセイ例えば酵素結合免疫吸着アッセイ、ラジオイムノアッセイ、ウェスタンブロッティング及び免疫沈降が挙げられる。
【００５９】
抗体は、モノクローナル抗体、ポリクローナル抗体、多特異性抗体（例えば、二重特異性抗体）、又は検出されるバイオマーカーに特異的に結合するという条件でそれらのフラグメントであっても良い。抗体を、標準的な技術（動物に標的抗原を用いて免疫を与えること及び血清から抗体を分離することを含む）によって得ても良い。モノクローナル抗体を、Ｋｏｈｌｅｒら、Ｎａｔｕｒｅ  ２５６：４９５（１９７５）が最初に説明したハイブリドーマ方法によって作っても良いし、又は組換えＤＮＡ法（例えば、米国特許第４，８１６，５６７号を参照）によって作っても良い。またモノクローナル抗体をファージ抗体ライブラリから分離することを、例えば、Ｃｌａｃｋｓｏｎら、Ｎａｔｕｒｅ  ３５２：６２４〜６２８（１９９１）及びＭａｒｋｓら、Ｊ．Ｍｏｌ．Ｂｉｏｌ．２２２：５８１〜５９７（１９９１）に記述される技術を用いて行なっても良い。また抗体はキメラ又はヒト化抗体であっても良い。抗体について以下で更に説明する。
【００６０】
ＩＨＣの２つの一般的な方法が利用できる。直接及び間接アッセイである。第１のアッセイによれば、標的抗原に抗体を結合することを直接判定する。この直接アッセイは、標識試薬、例えば蛍光タグ又は酵素標識一次抗体（更なる抗体相互作用を伴うことなく視覚化することができる）を用いる。
【００６１】
典型的な間接アッセイでは、非結合一次抗体が抗原に結合し、そして標識化された二次抗体が一次抗体に結合する。二次抗体が酵素標識に接合されているとき、発色又は蛍光発生基質を付加して抗原の可視化を得る。信号増幅が起こる。なぜならば、複数の二次抗体が一次抗体上の異なるエピトープと反応する場合があるからである。
【００６２】
ＩＨＣに対して用いる一次及び／又は二次抗体を、検出可能な部分を用いて標識化しても良い。多数の標識が利用可能であり、例えば、放射性同位体、コロイド金粒子、蛍光標識、及び種々の酵素基質標識である。蛍光標識としては、これらに限定されないが、希土類キレート（ユウロピウムキレート）、テキサスレッド、ローダミン、フルオレセイン、ダンシル、リサミン、ウンベリフェロン、フィコクリセリン及びフィコシアニン、並びに／又は前述のいずれか１つ以上のものの誘導体が挙げられる。蛍光標識を、周知の技術を用いて抗体に接合することができる。
【００６３】
種々の酵素基質標識が利用可能であり、例えば米国特許第４，２７５，１４９号に開示されているものである。酵素は概して、微視的に検出することが（例えば可視光の下で）可能な発色基質の化学的変化に触媒作用を及ぼす。例えば、酵素は基質の色変化に触媒作用を及ぼしても良いし、又は基質の蛍光若しくは化学発光を変えても良い。酵素標識の例としては、ルシフェラーゼ（例えば、ホタルルシフェラーゼ及び細菌ルシフェラーゼ；米国特許第４，７３７，４５６号）、ルシフェリン、２、３−ジヒドロフタルアジネジオン、リンゴ酸デヒドロゲナーゼ、ウレアーゼ、ペルオキシダーゼ例えばホースラディッシュペルオキシダーゼ（ＨＲＰＯ）、アルカリホスファターゼ、βガラクトシダーゼ、グルコアミラーゼ、リゾチーム、サッカリドオキシダーゼ（例えば、グルコースオキシダーゼ、ガラクトースオキシダーゼ、及びグルコース−６−リン酸デヒドロゲナーゼ）、複素環オキシダーゼ（例えばウリカーゼ及びキサンチンオキシダーゼ）、ラクトペルオキシダーゼ、ミクロペルオキシダーゼなどが挙げられる。抗体に酵素を接合するための技術が良く知られている。
【００６４】
典型的に、本方法には画像内の染色領域を検出するステップが含まれる。バイオマーカーに対応付けられた染色に対応する画像中の画素を、色変換法によって特定しても良い。これは例えば米国特許６，５５３，１３５号及び米国特許６，４０４，９１６号に開示されている。このような方法では、興味のある染色された対象物を、染みに対応付けられた特有の色彩を認識することによって特定しても良い。本方法には、画像の画素を異なる色空間に変換すること、及び背景染色を抑制するために閾値を適用することが含まれていても良い。例えば、ＲＧＢ信号値のうちの２つの比率を作って、色彩情報を区別するための手段としても良い。特定の染みを背景から区別することを、特定の信号比に対する最小値の存在によって行なっても良い。例えば、主に赤い染みに対応する画素を、赤色を青色で割った比（Ｒ／Ｂ）が最小値よりも大きいことによって特定しても良い。
【００６５】
Ｋｏｎｇら、Ａｍ  Ｊ  Ｃｌｉｎ  Ｎｕｔｒ、２０１３  Ｄｅｃ；９８（６）：１３８５〜９４には、アビジン−ビオチン−ペルオキシダーゼ法を用いること及び２人の無関係な研究者が陽染した細胞の数をカウントしていることが説明されている。
【００６６】
一実施形態では、バイオマーカー濃度を基準値と比較する。この場合、サンプル中のバイオマーカー濃度と基準値とを同じ分析方法を用いて判定する。
【００６７】
フルクトサミン
フルクトサミンは、糖と第１球アミンとの間の糖化反応からもたらされる化合物である。生物学的に、フルクトサミンはフルクトサミン−３−キナーゼによって認識される。
【００６８】
フルクトサミン試験は典型的に、グリケーションを受けた血液サンプル中の全血清タンパク質の割合を計算することが当該技術分野で知られている。アルブミンが血液中の最も一般的なタンパク質であるので、フルクトサミン濃度は典型的にアルブミングリケーションを反映している。好ましくは、本方法におけるフルクトサミンの濃度の判定には、糖化アルブミンを測定することが伴う。糖化アルブミンの測定は典型的に、全アルブミンピーク面積に対する糖化アルブミンピーク面積の計算を、比率又は割合として行なうことが伴う。しかし当業者であれば、サンプル中のフルクトサミンの濃度を判定するための当該技術分野における他の方法が分かり、これらも本方法に適している。このような方法としては、フェニルヒドラジン手順、フロシン手順、親和性クロマトグラフィ、２−チオバルビツール酸比色分析手順、及びニトロブルーテトラゾリウム比色分析手順（Ａｒｍｂｒｕｓｔｅｒ  ＤＡ、Ｃｌｉｎ  Ｃｈｅｍ  ３３：２１５３、１９８７）が挙げられる。サンプル中のフルクトサミンの濃度は好ましくは、モル／リットル（ｍｏｌ／Ｌ）で測定する。
【００６９】
第ＶＩＩ因子
第ＶＩＩ因子は血液凝固タンパク質である。これは、抗血友病因子（ＡＨＦ）としても当該技術分野で知られている。
【００７０】
サンプル中の第ＶＩＩ因子の濃度を測定するための方法が当該技術分野で知られている。Ｃｕｇｎｏら、Ｉｎｔｅｒｎ  Ｅｍｅｒｇ  Ｍｅｄ（２０１２）７：２３７〜２４２では、例えば、市販の１段階プロトロンビン時間ベースのアッセイ（Ｉｎｓｔｒｕｍｅｎｔａｔｉｏｎ  Ｌａｂｏｒａｔｏｒｙ  Ｃｏｍｐａｎｙ，Ｌｅｘｉｎｇｔｏｎ，ＭＡ，ＵＳＡから入手）を用いることが説明されている。Ｌｉｊｎｅｎ、Ｈ．Ｒ．ら、Ｔｈｒｏｍｂｏｓｉｓ  Ｒｅｓｅａｒｃｈ  １２９（２０１２）７４〜７９では、Ｄａｄｅ  ＢｅｈｒｉｎｇＢＣＳＸＰシステム（Ｓｉｅｍｅｎｓ  Ｈｅａｌｔｈｃａｒｅ  Ｄｉａｇｎｏｓｔｉｃｓ，Ｄｅｅｒｆｉｅｌｄ  ＩＬ）を用いることが説明されている。サンプル中の第ＶＩＩ因子の濃度は典型的に、任意単位で測定する。
【００７１】
アディポネクチン
アディポネクチンは、ヒトの中でＡＤＩＰＯＱ遺伝子によってコード化されるタンパク質である。それは当該技術分野において、ＧＢＰ−２８、ａｐＭ１、ＡｄｉｐｏＱ、及びＡｃｒｐ３０とも言われる。
【００７２】
サンプル中のアディポネクチンの濃度を判定するための方法が当該技術分野で知られている。Ｋｏｎｇら、Ａｍ  Ｊ  Ｃｌｉｎ  Ｎｕｔｒ、２０１３  Ｄｅｃ；９８（６）：１３８５〜９４及びＬｉｊｎｅｎ、Ｈ．Ｒ．ら、Ｔｈｒｏｍｂｏｓｉｓ  Ｒｅｓｅａｒｃｈ１２９（２０１２）７４〜７９の両方に、ＥＬＩＳＡキット（Ｒ＆Ｄ  Ｓｙｓｔｅｍｓ  Ｅｕｒｏｐｅ，Ｌｉｌｌｅ，Ｆｒａｎｃｅ）を用いることが記述されている。Ｌｉｊｎｅｎ  Ｈ．Ｒ．らは、アディポネクチン濃度の測定を市販のＥＬＩＳＡ及びプラスミノーゲン活性化因子阻害剤−１（ＰＡＩ０１）抗原を用いてどのように行なうかを説明している。
【００７３】
アディポネクチンの濃度は好ましくは、グラム／ミリリットル（ｇ／ｍＬ）で測定する。
【００７４】
インスリン
インスリンは、膵臓のベータ細胞によって生成されるペプチドホルモンである。
【００７５】
サンプル中のインスリンの濃度は好ましくは、国際単位／ミリリットル（ＩＵ／ｍＬ）で測定する。国際単位は物質の量に対する測定単位である。１つの国際単位を構成する質量又は体積は、どの物質を測定するかに基づいて変化する。インスリンの場合、１ＩＵは０．０３４７ｍｇのヒトインスリンに相当する（２８．８ＩＵ／ｍｇ）。国際単位（ＩＵ）はしばしばＵと省略される。
【００７６】
バイオマーカーの組み合わせ
個々のバイオマーカーは、本発明の方法において予測値を有している場合があるが、本方法の品質及び／又は予測能力は、複数のバイオマーカーからの値を組み合わせることによって改善される場合がある。
【００７７】
したがって、本発明の方法は、本明細書で規定されるものから少なくとも２種のバイオマーカーの濃度を判定することが伴っても良い。例えば、方法には、フルクトサミン及び第ＶＩＩ因子、フルクトサミン及びアディポネクチン、フルクトサミン及びインスリン、第ＶＩＩ因子及びアディポネクチン、第ＶＩＩ因子及びインスリン、フルクトサミン、第ＶＩＩ因子及びアディポネクチン、フルクトサミン、第ＶＩＩ因子及びインスリン、又はフルクトサミン、第ＶＩＩ因子、アディポネクチン及びインスリンの濃度を判定することが含まれていても良い。
【００７８】
バイオマーカー、例えば、フルクトサミン、第ＶＩＩ因子、アディポネクチン、及びインスリンの組み合わせを検出することを含む方法が特に好ましい。
【００７９】
特に好ましい実施形態では、本方法には、フルクトサミン、第ＶＩＩ因子、アディポネクチン及びインスリンのそれぞれの濃度を判定することであって、サンプル中のフルクトサミン及びインスリンの濃度の低下及び第ＶＩＩ因子及びアディポネクチンの濃度の増加は被検者の減量の程度の増加を示す、判定することが含まれる。
【００８０】
基準又は対照との比較
本方法には、試験サンプル中の個体バイオマーカーの濃度を１つ以上の基準値又は対照値と比較するステップが更に含まれていても良い。基準値を、食事介入に従って体重を減らす被検者の所定の能力に対応付けても良い。いくつかの実施形態では、基準値は、ある食事介入に従う被検者又は被検者のグループに対して、以前に得た値である。基準値は、食事介入に従う被検者のグループからの平均濃度（例えば、平均又は中央値濃度）に基づいても良い。
【００８１】
身体測定及び／又は生活習慣特性とバイオマーカー濃度との組み合わせ
一実施形態では、本方法には更に、１つ以上のバイオマーカーの濃度を被検者の１つ以上の身体測定及び／又は生活習慣特性と組み合わせることが含まれる。この情報を組み合わせることによって、改善された予測モデルが被検者が達成できる減量の程度に対して提供される。
【００８２】
当該技術分野で知られるように、身体測定は被検者の測定である。一実施形態では、身体測定は、性別、年齢（年で）、体重（キログラムで）、身長（センチメートルで）、及び体格指数（ｋｇ／ｍ−２で）からなる群から選択される。他の身体測定も当業者に知られている。
【００８３】
用語「生活習慣特性」が意味するのは被検者が行なう任意の生活習慣選択であり、これには、生活習慣、動機づけ、又は好みのアンケートから得られるすべての食事摂取量データ、活動性尺度又はデータが含まれる。一実施形態では、生活習慣特性は被検者が喫煙者であるか又は非喫煙者であるかである。これは本明細書では被検者の喫煙状態とも言う。
【００８４】
好ましい実施形態では、フルクトサミン、アディポネクチン、インスリン及び第ＶＩＩ因子の濃度を被検者からのサンプルに対して判定し、これらの濃度を被検者の性別、年齢、喫煙状態、及び体格指数と組み合わせて、被検者が達成できる減量を予測する。好ましくは、減量の程度を、食事介入を適用することによって被検者が達成すると予測される体格指数によって表す。
【００８５】
一実施形態では、予測される体格指数（ＢＭＩ２）は、式（１）によって一般的に表される。
ｂｍｉ２ｉ＝ｃ１＊ｂｍｉ１ｉ＋ｃ２（被検者ｉが女性である場合）＋ｃ３＊ａｇｅｉ−ｃ４＊第ＶＩＩ因子ｉ＋ｃ５＊フルクトサミンｉ−ｃ６＊アディポネクチンｉ＋ｃ７＊空腹時インスリンｉ
【００８６】
式中、ＢＭＩ１は食事介入前の被検者の体格指数であり、ＢＭＩ２は食事介入後の被検者の予測される体格指数である。またｃ１、ｃ２、ｃ３、ｃ４、ｃ５、ｃ６、及びｃ７は正の整数である。
【００８７】
ｃ１〜ｃ７の値は典型的に、１）モデルにおけるすべての変数の測定単位と、２）検討している被検者の出所（民族的背景）に依存する。係数ｃ１〜ｃ７はそれぞれ、特定の被検者コホートに対して容易に判定することができる。当業者であれば分かるように、食事介入（例えば低カロリー食）を対象とする被検者コホートに適用しても良く、本明細書で規定するバイオマーカーの濃度を判定しても良く、そして常用の統計的方法を用いてｃ１〜ｃ７の値に到達しても良い。このような常用の統計的方法には、ブートストラップ法による較正を伴う複数の線形回帰が含まれていても良い。同じ推定を、一般化線形若しくは加法モデル又は任意の他の回帰関連モデルを用いて、種々の推定アルゴリズム、例えば、弾性ネット、投げ縄、ベイズ的アプローチなどを用いて得ることができる。特に好ましい実施形態では、予測される体格指数（ＢＭＩ２）は、式（２）によって計算される。
ＢＭＩ２＝−１．２７＋０．５（被検者が女性である場合）＋０．９（初期体格指数、ＢＭＩ１）＋０．００１（年で表した年齢）−０．０１４（被検者が非喫煙者である場合）＋０．０３（第ＶＩＩ因子の濃度を単位で）−０．０００４（フルクトサミンの濃度、μモル／Ｌ）−０．００２（アディポネクチンの濃度、μｇ／ｍＬ）＋０．００２（空腹時インスリンの濃度、ｎＵ／ｍＬ）
【００８８】
一実施形態では、被検者はヨーロッパ人である。
【００８９】
被検者の階層化
本発明の方法によって予測される減量の程度を、１つ以上の所定の閾値と比較しても良い。このような閾値を用いて、被検者を、予測される減量の程度（例えば、低い、中間の、高い及び／又は非常に高い予測される減量の程度）を示すカテゴリに階層化しても良い。閾値から逸脱する程度は、どの被検者が特定の介入から最も利益を得るのかを判定するのに有用である。このようにして、食事介入及び生活習慣の変更を最適化することができ、被検者によって達成される減量の現実的な期待を設定することができる。
【００９０】
一実施形態では、カテゴリには減量抵抗被検者及び減量敏感被検者が含まれる。
【００９１】
用語「減量抵抗」とは、予測される減量の程度が所定の値よりも少ないことを意味する。好ましくは「減量抵抗」は、減量割合が所定の値よりも低い被検者を定義する。例えば、被検者の予想される減らす体重が、被検者に対する期待減量の１０パーセンタイル、１５パーセンタイル、２０パーセンタイル、又は３０パーセンタイルよりも少ない場合など。
【００９２】
好ましくは減量の程度を、減量したＢＭＩ単位の数によって表す。ここで、ＢＭＩ損失＝（（ＢＭＩ１−ＢＭＩ２）＊１００）／ＢＭＩ１であり、ＢＭＩ１は食事介入前の被検者の体格指数であり、ＢＭＩ２は食事介入後の被検者の予測される体格指数である。
【００９３】
用語「減量敏感」とは、予測される減量の程度が所定の値を超えていることを意味する。好ましくは「減量敏感」は、が所定の閾値を上回っている減量割合を有する被検者として定義される。例えば、期待減量の８５パーセンタイル、８０パーセンタイル、７５パーセンタイルよりも多い体重を減らすと予測される被検者。
【００９４】
「期待減量」は、試験されるものとして同じ食事介入を受けた被検者の母集団のデータから得ることができる。
【００９５】
別の実施形態では、被検者をカテゴリ「減量敏感」又は「減量抵抗」に階層化しても良い。これらのカテゴリは、肥満又は肥満関連疾患に対する被検者の危険低減を示し、例えば、低い、中間、高い及び／又は非常に高い危険低減である。低い、中間、及び高い危険低減グループは、絶対減量という観点で規定しても良い。絶対減量は、肥満又は特定の肥満関連疾患に対する臨床基準に関している。
【００９６】
例えば、目的が肥満者の２型糖尿病に対する危険性を減らすことである場合、「非常に高い危険低減」は、食事介入後に少なくとも１０％の体重を減らすと予測されるものとして規定しても良い。これは、Ｗｏｒｌｄ  Ｈｅａｌｔｈ  Ｏｒｇａｎ  Ｔｅｃｈ  Ｒｅｐ  Ｓｅｒ．２０００；８９４：ｉ−ｘｉｉ、１〜２５３のパートＩＩで設定される基準に従うものである）。また肥満の人の体重が１％減少するたびに、最高及び最低血圧の低下及び低密度リポタンパク質コレステロールの低下が起こり、したがって心血管疾患及び脂質異常症の危険性がそれぞれ減る。
【００９７】
被検者の生活習慣の変更を選択するための方法
更なる態様では、本発明によって、被検者の生活習慣を変更するための方法が提供される。被検者における生活習慣の変更は、本明細書で説明する任意の変更であっても良く、例えば、食事の変更、もっと運動すること、異なる作業及び／又は生活環境などである。
【００９８】
好ましくは、変更は、本明細書で説明するように食事介入である。より好ましくは、食事介入には少なくとも１種のダイエット食品の投与が含まれる。ダイエット食品は好ましくは、以前に摂取されていないか、又は被検者によって異なる量で摂取されていた。ダイエット食品は本明細書で説明するようなものであっても良い。また被検者の生活習慣を変更することには、被検者が自分の生活習慣を変える必要性を示すこと（例えば、もっと運動するように又は喫煙をやめるように指示すること）が含まれる。
【００９９】
例えば、被検者が低カロリー食で体重を減らすとは予測されない場合、変更には被検者の生活習慣において運動を増やすことが含まれていても良い。
【０１００】
ダイエット食品の利用
一態様では、本発明によって、減量用の低カロリー食の一部として用いるダイエット食品が提供される。ダイエット食品は、本明細書で説明する方法によってある程度の減量を達成すると予測される被検者に投与される。
【０１０１】
別の態様では、本発明によって、肥満又は肥満関連疾患の治療で用いるダイエット食品であって、本明細書で説明する方法によってある程度の減量を達成すると予測される被検者に投与されるダイエット食品が提供される。
【０１０２】
肥満関連疾患は、糖尿病（例えば、２型糖尿病）、脳卒中、高コレステロール、心臓血管疾患、インスリン抵抗性、冠状動脈性心疾患、メタボリックシンドローム、高血圧及び脂肪肝からなる群から選択され得る。更なる態様では、本発明によって、減量用の低カロリー食においてダイエット食品を用いることであって、ダイエット食品は、本明細書で説明する方法によってある程度の減量を達成すると予測される被検者に投与される、用いることが提供される。
【０１０３】
キット
更なる態様では、本発明によって、被検者に１つ以上の食事介入を適用することによって達成できる減量の程度を予測するためのキットが提供される。
【０１０４】
キットには、第ＶＩＩ因子に特異的な抗体又は糖化アルブミンに特異的な抗体が含まれる。またキットには、インスリンに特異的な抗体及び／又はアディポネクチンに特異的な抗体が含まれていても良い。好ましくは、キットには、第ＶＩＩ因子に特異的な抗体、糖化アルブミンに特異的な抗体、インスリンに特異的な抗体、及びアディポネクチンに特異的な抗体が含まれる。
【０１０５】
用語抗体には抗体フラグメントが含まれる。このようなフラグメントには、全抗体のうち標的物質に対するその結合活性を保持するフラグメント、Ｆｖ、Ｆ（ａｂ’）、及びＦ（ａｂ’）２フラグメント、並びに一本鎖抗体（ｓｃＦｖ）、融合タンパク質、及び他の合成タンパク質であって抗体の抗原結合部位を含むものが含まれる。更に、抗体及びそのフラグメントはヒト化抗体であっても良い。当業者であれば、本キットに必要な抗体を生成する当該技術分野の方法が分かる。
【０１０６】
コンピュータプログラム製品
本明細書で説明する方法を、汎用ハードウェア（例えば１つ以上のコンピュータプロセッサ）上で実行されるコンピュータプログラムとして実装しても良い。いくつかの実施形態では、本明細書で説明する機能を、デバイス例えばスマートフォン、タブレット末端又はパーソナルコンピュータによって実装しても良い。
【０１０７】
一態様では、本発明によって、プログラム可能なコンピュータに本明細書で説明するバイオマーカーの濃度に基づいて減量の程度を予測させるためのコンピュータ実施可能な命令を含むコンピュータプログラム製品が提供される。
【０１０８】
別の態様では、本発明によって、デバイスに、ユーザから得られる１つ以上のバイオマーカーの濃度が与えられたときに減量の程度を予測させるためのコンピュータ実施可能な命令を含むコンピュータプログラム製品であって、バイオマーカーはフルクトサミン、第ＶＩＩ因子、又はそれらの混合物から選択されるコンピュータプログラム製品が提供される。バイオマーカー濃度には、アディポネクチン及び／又はインスリン濃度が更に含まれていても良い。好ましくはバイオマーカー濃度は、空腹時濃度である。コンピュータプログラム製品にユーザからの身体測定及び／又は生活習慣特性を与えても良い。本明細書で説明するように、身体測定には年齢、体重、身長、性別、及び体格指数が含まれ、生活習慣特性には喫煙状態が含まれる。
【０１０９】
特に好ましい実施形態では、ユーザはデバイスに、フルクトサミン、アディポネクチン、第ＶＩＩ因子、及びインスリンの濃度を、任意的に年齢、体格指数、性別、及び喫煙状態とともに入力する。次にデバイスはこの情報を処理して、食事介入からユーザによって達成できる減量の程度に対する予測を与える。
【０１１０】
デバイスは、概してネットワーク上のサーバであっても良い。しかし、バイオマーカーデータ並びに／又は人体計測及び生活習慣データをプロセッサ、中央演算処理装置（ＣＰＵ）などを用いて処理できる限り、任意のデバイスを用いても良い。デバイスは、例えば、スマートフォン、タブレット末端、又はパーソナルコンピュータであっても良く、またユーザが達成できる減量の程度を示す情報を出力しても良い。
【０１１１】
当業者であれば分かるように、当業者は、本明細書で説明する本発明のすべての特徴を自由に組み合わせることが、開示した本発明の範囲から逸脱することなく可能である。
【０１１２】
本発明の種々の好ましい特徴及び実施形態を、非限定的な例によって記述する。
【０１１３】
本発明を実施するときには、特に断りのない限り、化学、分子生物学、微生物学、組換えＤＮＡ及び免疫学の従来技術を用いており、これは当業者の能力の範囲内である。このような技術は文献に説明されている。参照のこと，例えば，Ｊ．Ｓａｍｂｒｏｏｋ，Ｅ．Ｆ．Ｆｒｉｔｓｃｈ，ａｎｄ  Ｔ．Ｍａｎｉａｔｉｓ，１９８９，Ｍｏｌｅｃｕｌａｒ  Ｃｌｏｎｉｎｇ：Ａ  Ｌａｂｏｒａｔｏｒｙ  Ｍａｎｕａｌ，Ｓｅｃｏｎｄ  Ｅｄｉｔｉｏｎ，Ｂｏｏｋｓ  １〜３，Ｃｏｌｄ  Ｓｐｒｉｎｇ  Ｈａｒｂｏｒ  Ｌａｂｏｒａｔｏｒｙ  Ｐｒｅｓｓ；Ａｕｓｕｂｅｌ、Ｆ．Ｍ．ら（１９９５及び定期的な追加；Ｃｕｒｒｅｎｔ  Ｐｒｏｔｏｃｏｌｓ  ｉｎ  Ｍｏｌｅｃｕｌａｒ  Ｂｉｏｌｏｇｙ，ｃｈ．９，１３，ａｎｄ  １６，Ｊｏｈｎ  Ｗｉｌｅｙ  ＆  Ｓｏｎｓ，Ｎｅｗ  Ｙｏｒｋ，Ｎ．Ｙ．）；Ｂ．Ｒｏｅ，Ｊ．Ｃｒａｂｔｒｅｅ，ａｎｄ  Ａ．Ｋａｈｎ，１９９６，ＤＮＡ  Ｉｓｏｌａｔｉｏｎ  ａｎｄ  Ｓｅｑｕｅｎｃｉｎｇ：Ｅｓｓｅｎｔｉａｌ  Ｔｅｃｈｎｉｑｕｅｓ，Ｊｏｈｎ  Ｗｉｌｅｙ  ＆  Ｓｏｎｓ；Ｊ．Ｍ．Ｐｏｌａｋ  ａｎｄ  Ｊａｍｅｓ  Ｏ’Ｄ．ＭｃＧｅｅ，１９９０，Ｉｎ  Ｓｉｔｕ  Ｈｙｂｒｉｄｉｚａｔｉｏｎ：Ｐｒｉｎｃｉｐｌｅｓ  ａｎｄ  Ｐｒａｃｔｉｃｅ；Ｏｘｆｏｒｄ  Ｕｎｉｖｅｒｓｉｔｙ  Ｐｒｅｓｓ；Ｍ．Ｊ．Ｇａｉｔ（Ｅｄｉｔｏｒ），１９８４，Ｏｌｉｇｏｎｕｃｌｅｏｔｉｄｅ  Ｓｙｎｔｈｅｓｉｓ：Ａ  Ｐｒａｃｔｉｃａｌ  Ａｐｐｒｏａｃｈ，Ｉｒｌ  Ｐｒｅｓｓ；Ｄ．Ｍ．Ｊ．Ｌｉｌｌｅｙ  ａｎｄ  Ｊ．Ｅ．Ｄａｈｌｂｅｒｇ，１９９２，Ｍｅｔｈｏｄｓ  ｏｆ  Ｅｎｚｙｍｏｌｏｇｙ：ＤＮＡ  Ｓｔｒｕｃｔｕｒｅ  Ｐａｒｔ  Ａ：Ｓｙｎｔｈｅｓｉｓ  ａｎｄ  Ｐｈｙｓｉｃａｌ  Ａｎａｌｙｓｉｓ  ｏｆ  ＤＮＡＭｅｔｈｏｄｓ  ｉｎ  Ｅｎｚｙｍｏｌｏｇｙ，Ａｃａｄｅｍｉｃ  Ｐｒｅｓｓ；ａｎｄ  Ｅ．Ｍ．Ｓｈｅｖａｃｈ  ａｎｄ  Ｗ．Ｓｔｒｏｂｅｒ，１９９２及び定期的な追加，Ｃｕｒｒｅｎｔ  Ｐｒｏｔｏｃｏｌｓ  ｉｎ  Ｉｍｍｕｎｏｌｏｇｙ，Ｊｏｈｎ  Ｗｉｌｅｙ  ＆  Ｓｏｎｓ，Ｎｅｗ  Ｙｏｒｋ，ＮＹ。これらの一般的なテキストはそれぞれ、本明細書において参照により取り入れられている。
【実施例】
【０１１４】
実施例１  低カロリー食後の減量の程度を予測する。
被検者はＤｉｏｇｅｎｅｓ研究の参加者であった。この研究は、汎ヨーロッパのランダム化比較食事介入研究であり、８つのヨーロッパセンタにおける肥満及び過体重家族における減量及び体重維持に対する食事タンパク質及びグリセミック指数の効果を詳しく調べている（Ｌａｒｓｅｎら，Ｏｂｅｓｉｔｙ  ｒｅｖｉｅｗｓ（２００９）、１１、７６〜９１）。
【０１１５】
実施例１には９３８人のヨーロッパ人の個体が含まれており、そのうち７８２人は８週間のＬＣＤプログラムを終え、７１４人は生体に対して許容される範囲を伴う必要な測定をすべて行なった。個体に対する一般的なパラメータを下表１に示す。
【表１】
0006571757.tif 000002
【０１１６】
血液サンプルを８週間のＬＣＤ期間の前及び終了後に取って、フルクトサミン、アディポネクチン、第ＶＩＩ因子、及びインスリンの血漿濃度を判定された。ＬＣＤ介入前に判定されるこれらのバイオマーカーの空腹時濃度は、体重を減らす個体の可能性に対応付けられることが分かった。
【０１１７】
また複数の身体測定も食事介入の前に取った。例えば、年齢、体重、及び身長（これらからＢＭＩ（体格指数）を体重／身長２として得た）及び性別である。技術的な理由により、いくつかのバイオマーカー測定は６２人の被検者に対して失敗したため、利用可能なデータは残りの７１４人の被検者に対するものである。これらの身体測定は、標準的な臨床診療を用いて行なった。
【０１１８】
食事介入の前に測定した変数はすべて、ＢＭＩ１を前提としてＢＭＩ２の別個及び共同で予測値であると評価した。複数の統計モデルについて、当該技術分野で知られる利用可能なツール、例えばガウシアン又はガンマ分布の結果との相互作用を伴い及び伴わない一般化加法及び線形モデル）（Ｒソフトウェア）などを用いて評価した。これらの統計モデルは、交差検証法（複数の線形回帰モデル及びその係数のブートストラップ）を用いた予測品質に基づいて以下の予測モデル（式（２））を保持した）。
ＢＭＩ２＝−１．２７＋０．９＊ＢＭＩ１ｉ＋０．５（被検者ｉが女性である場合）＋０．００１＊年齢−０．０１４（非喫煙である場合）＋０．０３＊第ＶＩＩ因子ｉ−０．０００４＊フルクトサミンｉ−０．００２＊アディポネクチンｉ＋０．００２＊空腹時インスリンｉ                  （２）
【０１１９】
この研究におけるモデルの全体的な予測精度は、９６％の全分散であると判定した（調整したＲ２＝０．９６）。予測したＢＭＩ２及びバイオマーカーそれぞれの濃度を下表２に示す。
【表２】
0006571757.tif 000003
【０１２０】
表３に含まれるのは、平均期待ＢＭＩ２に対する予測モデルのすべての係数のｐ値である（回帰モデルに対するブートストラップ法推定分布を用いている）。
【表３】
0006571757.tif 000004
【０１２１】
実施例２−予測される減量による被検者の階層化
実施例２には、実施例１と同じ被検者が含まれているが、ＢＭＩ２（低カロリー介入後のＢＭＩ）を予測する代わりに、可能性被検者が「減量敏感」又は「減量抵抗」である可能性を予測することに焦点を当てている。
【０１２２】
表４には、「減量抵抗」及び「減量敏感」である可能性を予測するための対応する有意性を伴うバイオマーカーの係数が含まれている。なお可能性は年齢及び性別に対して調整されている。
【表４】
0006571757.tif 000005